(57)【特許請求の範囲】
【請求項１】
浴槽内の水の循環する追い焚き流路内の水と給水の通る給湯流路内の水の双方にバーナーからの熱を１つの熱交換器で伝える１缶２水路型給湯器であって、前記熱交換器を経由した後の前記給湯流路内の湯を前記追い焚き流路側に流すための連絡路と、前記連絡路の途中に設けられ前記給湯流路内の湯を前記追い焚き流路側へ流すか否かを切り替える切替弁とを備え、前記浴槽への注湯動作を行う際に前記連絡路を通じて前記追い焚き流路に流れ込んだ水が当該追い焚き流路を通じて前記熱交換器を再度経由するものと前記熱交換器を再度経由しないものの二手に分かれて前記浴槽に流れ込むものにおいて、
前記熱交換器を経由する前の前記給湯流路内の水温を検知する入水温度検知手段と、前記熱交換器を経由した後の前記給湯流路内の水温を検知する出湯温度検知手段と、前記給湯流路を通じて前記熱交換器を経由する水の流量を検知する流量検知手段と、前記給湯流路から前記連絡路を通じて前記追い焚き流路に流れ込む水が二手に分かれる際の分配比を記憶した分配比記憶手段と、前記バーナーからの供給熱量と前記給湯流路側での吸熱量と前記給湯流路を通じて加熱された後であって前記追い焚き流路を通じて前記熱交換器で再加熱される前の水の温度である再加熱前温度と前記追い焚き流路を通じ前記熱交換器で再加熱されて前記浴槽に流れ込む水の流量とから成る４つのパラメータの関係を表したデータを予め求めて記憶したデータ記憶手段と、前記注湯単独での使用中か注湯と給湯との同時使用中かを判別する同時使用判別手段とを備え、
前記同時使用判別手段は、前記入水温度検知手段の検知する温度と前記出湯温度検知手段の検知する温度と前記流量検知手段の検知する流量とから前記給湯流路側での実際の吸熱量を求め、前記バーナーからの供給熱量と前記給湯流路側での実際の吸熱量と前記出湯温度検知手段の検知する前記再加熱前温度と前記給湯流路を通じて加熱された給水の全てが前記連絡路を通じて前記追い焚き流路に流れ込みかつ前記分配比記憶手段に記憶されている分配比に従って二手に分かれた際に前記熱交換器で再加熱されて前記浴槽に流れ込む水の流量との関係が、前記データ記憶手段に記憶してあるこれら４つのパラメータの関係と略一致するか否かを基にして注湯単独での使用中か注湯と給湯との同時使用中かを判別することを特徴とする１缶２水路型給湯器。
【請求項２】
浴槽内の水の循環する追い焚き流路内の水と給水の通る給湯流路内の水の双方にバーナーからの熱を１つの熱交換器で伝える１缶２水路型給湯器であって、前記熱交換器を経由した後の前記給湯流路内の湯を前記追い焚き流路側に流すための連絡路と、前記連絡路の途中に設けられ前記給湯流路内の湯を前記追い焚き流路側へ流すか否かを切り替える切替弁とを備え、前記浴槽への注湯動作を行う際に前記連絡路を通じて前記追い焚き流路に流れ込んだ水が当該追い焚き流路を通じて前記熱交換器を再度経由するものと前記熱交換器を再度経由しないものの二手に分かれて前記浴槽に流れ込むものにおいて、
前記熱交換器を経由する前の前記給湯流路内の水温を検知する入水温度検知手段と、前記熱交換器を経由した後の前記給湯流路内の水温を検知する出湯温度検知手段と、前記給湯流路を通じて前記熱交換器を経由する水の流量を検知する流量検知手段と、前記給湯流路から前記連絡路を通じて前記追い焚き流路に流れ込む水が二手に分かれる際の分配比を記憶した分配比記憶手段と、前記バーナーからの供給熱量と前記給湯流路側での吸熱量と前記給湯流路を通じて加熱された後であって前記追い焚き流路を通じて前記熱交換器で再加熱される前の水の温度である再加熱前温度と前記追い焚き流路を通じ前記熱交換器で再加熱されて前記浴槽に流れ込む水の流量とから成る４つのパラメータの関係を表したデータを予め求めて記憶したデータ記憶手段と、前記注湯単独での使用中か注湯と給湯との同時使用中かを判別する同時使用判別手段とを備え、
前記同時使用判別手段は、前記入水温度検知手段の検知する温度と前記出湯温度検知手段の検知する温度と前記流量検知手段の検知する流量とから前記給湯流路側での実際の吸熱量を求め、この吸熱量と前記出湯温度検知手段の検知する前記再加熱前温度と前記バーナーからの供給熱量とに基づいて前記追い焚き流路を通じ前記熱交換器で再加熱される水の流量である実再加熱流量を前記データ記憶手段の記憶しているデータから求め、前記給湯流路を通じて加熱された水の全てが前記連絡路を通じて前記追い焚き流路に流れ込む場合に前記熱交換器で再加熱されて前記浴槽に流れ込む水の流量を前記流量検知手段の検知する流量と前記分配比記憶手段の記憶している分配比とから求め、当該分配比から求めた流量と前記実再加熱流量とを比較することで注湯単独での使用中か注湯と給湯との同時使用中かを判別することを特徴とする１缶２水路型給湯器。
【請求項３】
注湯単独で使用している状態における前記バーナーからの供給熱量と給湯流路側での実際の吸熱量と前記給湯流路を通じて加熱された後であって前記追い焚き流路を通じて前記熱交換器で再加熱される前における実際の水温とに基づいて前記熱交換器で再加熱されて前記浴槽に流れ込む水の流量を前記データ記憶手段に記憶してあるデータから求め、これと前記流量検知手段によって検知された流量とから前記分配比を求め、これを前記分配比記憶手段に記憶することを特徴とする請求項１または２記載の１缶２水路型給湯器。
【請求項４】
前記分配比を求める際に前記切替弁を一旦閉じ、そのとき前記給湯流路に通水があるか否かを基にして注湯単独での使用状態を形成できるか否かを判別することを特徴とする請求項３記載の１缶２水路型給湯器。
【請求項５】
前記同時使用判別手段が注湯単独での使用中であると判別した際における実際の分配比を求め、前記実際の分配比の値あるいはその変動量が所定の許容値を越えたとき、前記同時使用判別手段が注湯単独での使用中か否かを判別する際に用いる分配比の値を最新の分配比に更新することを特徴とする請求項１、２、３または４記載の１缶２水路型給湯器。
【請求項６】
浴槽内の水の循環する追い焚き流路内の水と給水の通る給湯流路内の水の双方にバーナーからの熱を１つの熱交換器で伝える１缶２水路型給湯器であって、前記熱交換器を経由した後の前記給湯流路内の湯を前記追い焚き流路側に流すための連絡路と、前記連絡路の途中に設けられ前記給湯流路内の湯を前記追い焚き流路側へ流すか否かを切り替える切替弁とを備え、前記浴槽への注湯動作を行う際に前記連絡路を通じて前記追い焚き流路に流れ込んだ水が当該追い焚き流路を通じて前記熱交換器を再度経由するものと前記熱交換器を再度経由しないものの二手に分かれて前記浴槽に流れ込むものが、注湯動作のみを単独で行っているか注湯動作と水栓への給湯動作とを同時に行っているかを判別する注湯給湯同時使用判別方法において、
前記給湯流路から前記連絡路を通じて前記追い焚き流路に流れ込む水が二手に分かれる際の分配比を予め求めて記憶し、
前記バーナーからの供給熱量と前記給湯流路側での吸熱量と前記給湯流路を通じて加熱された後であって前記追い焚き流路を通じて前記熱交換器で再加熱される前の水の温度と前記追い焚き流路を通じ前記熱交換器で再加熱されて前記浴槽に流れ込む水の流量とから成る４つのパラメータの関係を表したデータを予め求めて記憶し、
前記熱交換器を経由する前の前記給湯流路内の水温を検知し、
前記熱交換器を経由した後の前記給湯流路内の水温を検知し、
前記給湯流路を通じて前記熱交換器を経由する水の流量を検知し、
前記熱交換器を経由する前の前記給湯流路内の水温と前記熱交換器を経由した後の前記給湯流路内の水温と前記給湯流路を通じて前記熱交換器を経由する水の流量とから前記給湯流路側での実際の吸熱量を求め、
前記バーナーからの供給熱量と前記給湯流路側での実際の吸熱量と前記熱交換器を経由した後の前記給湯流路内の水温と前記給湯流路を通じて加熱された給水の全てが前記連絡路を通じて前記追い焚き流路に流れ込みかつ前記分配比に従って二手に分かれた際に前記熱交換器で再加熱されて前記浴槽に流れ込む水の流量との関係が、前記予め記憶してあるこれら４つのパラメータの関係と略一致するか否かを基にして注湯単独での使用中か注湯と給湯との同時使用中かを判別することを特徴とする注湯給湯同時使用判別方法。
【発明の詳細な説明】
【０００１】
【発明の属する技術分野】
本発明は、浴槽内の水の循環する追い焚き流路内の水と給水の通る給湯流路内の水の双方にバーナーからの熱を１つの熱交換器で伝える１缶２水路型給湯器およびその注湯給湯同時使用判別方法に関する。
【０００２】
【従来の技術】
従来から使用されている１缶２水路型給湯器には、給湯流路を通じて加熱された湯を連絡路を通じて追い焚き流路側に流し込むことで浴槽への注湯動作を行うものがある。このような１缶２水路型給湯器では、通常、浴槽への注湯動作と給湯動作とが並行して行われたとき、連結路に設けた切替弁を閉じて注湯動作を中断し、給湯側を優先するようになっている。
【０００３】
注湯動作と給湯動作とが同時に行われているか否かは、給湯流路のうち連絡路の接続箇所よりも下流側の箇所に専用の流量センサを設け、これを用いて検知していた。
【０００４】
【発明が解決しようとする課題】
しかしながら、このような従来の技術では、注湯動作と給湯動作とが同時に行われているか否かを検知するために、別途、専用の流量センサを設けていたので、その分、構造が複雑になり装置価格が高騰するという問題があった。
【０００５】
本発明は、このような従来の技術が有する問題点に着目してなされたもので、専用の流量センサを設けることなく、注湯と給湯とが同時使用されているか否かを判別することのできる１缶２水路型給湯器および注湯給湯同時使用判別方法を提供することを目的としている。
【０００７】
【課題を解決するための手段】
かかる目的を達成するための本発明の要旨とするところは、次の各項の発明に存する。
［１］浴槽（３０）内の水の循環する追い焚き流路（４０）内の水と給水の通る給湯流路（２０）内の水の双方にバーナー（１２）からの熱を１つの熱交換器（１１）で伝える１缶２水路型給湯器であって、前記熱交換器（１１）を経由した後の前記給湯流路（２０）内の湯を前記追い焚き流路（４０）側に流すための連絡路（５０）と、前記連絡路（５０）の途中に設けられ前記給湯流路（２０）内の湯を前記追い焚き流路（４０）側へ流すか否かを切り替える切替弁（５１）とを備え、前記浴槽（３０）への注湯動作を行う際に前記連絡路（５０）を通じて前記追い焚き流路（４０）に流れ込んだ水が当該追い焚き流路（４０）を通じて前記熱交換器（１１）を再度経由するものと前記熱交換器（１１）を再度経由しないものの二手に分かれて前記浴槽（３０）に流れ込むものにおいて、
前記熱交換器（１１）を経由する前の前記給湯流路（２０）内の水温を検知する入水温度検知手段（２４）と、前記熱交換器（１１）を経由した後の前記給湯流路（２０）内の水温を検知する出湯温度検知手段（２７、２９）と、前記給湯流路（２０）を通じて前記熱交換器（１１）を経由する水の流量を検知する流量検知手段（２５）と、前記給湯流路（２０）から前記連絡路（５０）を通じて前記追い焚き流路（４０）に流れ込む水が二手に分かれる際の分配比を記憶した分配比記憶手段（６３）と、前記バーナー（１２）からの供給熱量と前記給湯流路（２０）側での吸熱量と前記給湯流路（２０）を通じて加熱された後であって前記追い焚き流路（４０）を通じて前記熱交換器（１１）で再加熱される前の水の温度である再加熱前温度と前記追い焚き流路（４０）を通じ前記熱交換器（１１）で再加熱されて前記浴槽（３０）に流れ込む水の流量とから成る４つのパラメータの関係を表したデータを予め求めて記憶したデータ記憶手段（６２）と、前記注湯単独での使用中か注湯と給湯との同時使用中かを判別する同時使用判別手段（６１）とを備え、
前記同時使用判別手段（６１）は、前記入水温度検知手段（２４）の検知する温度と前記出湯温度検知手段（２７、２９）の検知する温度と前記流量検知手段（２５）の検知する流量とから前記給湯流路（２０）側での実際の吸熱量を求め、前記バーナー（１２）からの供給熱量と前記給湯流路（２０）側での実際の吸熱量と前記出湯温度検知手段（２７、２９）の検知する前記再加熱前温度と前記給湯流路（２０）を通じて加熱された給水の全てが前記連絡路（５０）を通じて前記追い焚き流路（４０）に流れ込みかつ前記分配比記憶手段（６３）に記憶されている分配比に従って二手に分かれた際に前記熱交換器（１１）で再加熱されて前記浴槽（３０）に流れ込む水の流量との関係が、前記データ記憶手段（６２）に記憶してあるこれら４つのパラメータの関係と略一致するか否かを基にして注湯単独での使用中か注湯と給湯との同時使用中かを判別することを特徴とする１缶２水路型給湯器（１０）。
【０００８】
［２］浴槽（３０）内の水の循環する追い焚き流路（４０）内の水と給水の通る給湯流路（２０）内の水の双方にバーナー（１２）からの熱を１つの熱交換器（１１）で伝える１缶２水路型給湯器であって、前記熱交換器（１１）を経由した後の前記給湯流路（２０）内の湯を前記追い焚き流路（４０）側に流すための連絡路（５０）と、前記連絡路（５０）の途中に設けられ前記給湯流路（２０）内の湯を前記追い焚き流路（４０）側へ流すか否かを切り替える切替弁（５１）とを備え、前記浴槽（３０）への注湯動作を行う際に前記連絡路（５０）を通じて前記追い焚き流路（４０）に流れ込んだ水が当該追い焚き流路（４０）を通じて前記熱交換器（１１）を再度経由するものと前記熱交換器（１１）を再度経由しないものの二手に分かれて前記浴槽（３０）に流れ込むものにおいて、
前記熱交換器（１１）を経由する前の前記給湯流路（２０）内の水温を検知する入水温度検知手段（２４）と、前記熱交換器（１１）を経由した後の前記給湯流路（２０）内の水温を検知する出湯温度検知手段（２７、２９）と、前記給湯流路（２０）を通じて前記熱交換器（１１）を経由する水の流量を検知する流量検知手段（２５）と、前記給湯流路（２０）から前記連絡路（５０）を通じて前記追い焚き流路（４０）に流れ込む水が二手に分かれる際の分配比を記憶した分配比記憶手段（６３）と、前記バーナー（１２）からの供給熱量と前記給湯流路（２０）側での吸熱量と前記給湯流路（２０）を通じて加熱された後であって前記追い焚き流路（４０）を通じて前記熱交換器（１１）で再加熱される前の水の温度である再加熱前温度と前記追い焚き流路（４０）を通じ前記熱交換器（１１）で再加熱されて前記浴槽（３０）に流れ込む水の流量とから成る４つのパラメータの関係を表したデータを予め求めて記憶したデータ記憶手段（６２）と、前記注湯単独での使用中か注湯と給湯との同時使用中かを判別する同時使用判別手段（６１）とを備え、
前記同時使用判別手段（６１）は、前記入水温度検知手段（２４）の検知する温度と前記出湯温度検知手段（２７、２９）の検知する温度と前記流量検知手段（２５）の検知する流量とから前記給湯流路（２０）側での実際の吸熱量を求め、この吸熱量と前記出湯温度検知手段（２７、２９）の検知する前記再加熱前温度と前記バーナー（１２）からの供給熱量とに基づいて前記追い焚き流路（４０）を通じ前記熱交換器（１１）で再加熱される水の流量である実再加熱流量を前記データ記憶手段（６２）の記憶しているデータから求め、前記給湯流路（２０）を通じて加熱された水の全てが前記連絡路（５０）を通じて前記追い焚き流路（４０）に流れ込む場合に前記熱交換器（１１）で再加熱されて前記浴槽（３０）に流れ込む水の流量を前記流量検知手段（２５）の検知する流量と前記分配比記憶手段（６３）の記憶している分配比とから求め、当該分配比から求めた流量と前記実再加熱流量とを比較することで注湯単独での使用中か注湯と給湯との同時使用中かを判別することを特徴とする１缶２水路型給湯器（１０）。
【０００９】
［３］注湯単独で使用している状態における前記バーナー（１２）からの供給熱量と給湯流路（２０）側での実際の吸熱量と前記給湯流路（２０）を通じて加熱された後であって前記追い焚き流路（４０）を通じて前記熱交換器（１１）で再加熱される前における実際の水温とに基づいて前記熱交換器（１１）で再加熱されて前記浴槽（３０）に流れ込む水の流量を前記データ記憶手段（６２）に記憶してあるデータから求め、これと前記流量検知手段（２５）によって検知された流量とから前記分配比を求め、これを前記分配比記憶手段（６３）に記憶することを特徴とする［１］または［２］記載の１缶２水路型給湯器（１０）。
【００１０】
［４］前記分配比を求める際に前記切替弁（５１）を一旦閉じ、そのとき前記給湯流路（２０）に通水があるか否かを基にして注湯単独での使用状態を形成できるか否かを判別することを特徴とする［３］記載の１缶２水路型給湯器（１０）。
【００１１】
［５］前記同時使用判別手段（６１）が注湯単独での使用中であると判別した際における実際の分配比を求め、前記実際の分配比の値あるいはその変動量が所定の許容値を越えたとき、前記同時使用判別手段（６１）が注湯単独での使用中か否かを判別する際に用いる分配比の値を最新の分配比に更新することを特徴とする［１］、［２］、［３］または［４］記載の１缶２水路型給湯器（１０）。
【００１２】
［６］浴槽（３０）内の水の循環する追い焚き流路（４０）内の水と給水の通る給湯流路（２０）内の水の双方にバーナー（１２）からの熱を１つの熱交換器（１１）で伝える１缶２水路型給湯器であって、前記熱交換器（１１）を経由した後の前記給湯流路（２０）内の湯を前記追い焚き流路（４０）側に流すための連絡路（５０）と、前記連絡路（５０）の途中に設けられ前記給湯流路（２０）内の湯を前記追い焚き流路（４０）側へ流すか否かを切り替える切替弁（５１）とを備え、前記浴槽（３０）への注湯動作を行う際に前記連絡路（５０）を通じて前記追い焚き流路（４０）に流れ込んだ水が当該追い焚き流路（４０）を通じて前記熱交換器（１１）を再度経由するものと前記熱交換器（１１）を再度経由しないものの二手に分かれて前記浴槽（３０）に流れ込むものが、注湯動作のみを単独で行っているか注湯動作と水栓への給湯動作とを同時に行っているかを判別する注湯給湯同時使用判別方法において、
前記給湯流路（２０）から前記連絡路（５０）を通じて前記追い焚き流路（４０）に流れ込む水が二手に分かれる際の分配比を予め求めて記憶し、
前記バーナー（１２）からの供給熱量と前記給湯流路（２０）側での吸熱量と前記給湯流路（２０）を通じて加熱された後であって前記追い焚き流路（４０）を通じて前記熱交換器（１１）で再加熱される前の水の温度と前記追い焚き流路（４０）を通じ前記熱交換器（１１）で再加熱されて前記浴槽（３０）に流れ込む水の流量とから成る４つのパラメータの関係を表したデータを予め求めて記憶し、
前記熱交換器（１１）を経由する前の前記給湯流路（２０）内の水温を検知し、
前記熱交換器（１１）を経由した後の前記給湯流路（２０）内の水温を検知し、
前記給湯流路（２０）を通じて前記熱交換器（１１）を経由する水の流量を検知し、
前記熱交換器（１１）を経由する前の前記給湯流路（２０）内の水温と前記熱交換器（１１）を経由した後の前記給湯流路（２０）内の水温と前記給湯流路（２０）を通じて前記熱交換器（１１）を経由する水の流量とから前記給湯流路（２０）側での実際の吸熱量を求め、
前記バーナー（１２）からの供給熱量と前記給湯流路（２０）側での実際の吸熱量と前記熱交換器（１１）を経由した後の前記給湯流路（２０）内の水温と前記給湯流路（２０）を通じて加熱された給水の全てが前記連絡路（５０）を通じて前記追い焚き流路（４０）に流れ込みかつ前記分配比に従って二手に分かれた際に前記熱交換器（１１）で再加熱されて前記浴槽（３０）に流れ込む水の流量との関係が、前記予め記憶してあるこれら４つのパラメータの関係と略一致するか否かを基にして注湯単独での使用中か注湯と給湯との同時使用中かを判別することを特徴とする注湯給湯同時使用判別方法。
【００１３】
前記本発明は次のように作用する。
この給湯器は、浴槽（３０）内の水の循環する追い焚き流路（４０）内の水と給水の通る給湯流路（２０）内の水の双方にバーナー（１２）からの熱を１つの熱交換器（１１）で伝える１缶２水路型給湯器である。また、給湯流路（２０）と追い焚き流路（４０）とを結ぶ連絡路（５０）に設けた切替弁（５１）を開くことで給湯流路（２０）側で加熱された湯を連絡路（５０）を通じて追い焚き流路（４０）側に流して浴槽（３０）へ注湯する機能を備えている。
【００１４】
連絡路（５０）を通じて追い焚き流路（４０）に流れ込んだ水は、少なくともその一部あるいは全部が熱交換器（１１）を再度経由して浴槽（３０）に流れ込むようになっている。すなわち、連絡路（５０）から追い焚き流路（４０）に流れ込んだ水のすべてが再度熱交換器（１１）を経由し再び加熱されてから浴槽（３０）へ流れ込むもの、あるいは連絡路（５０）から追い焚き流路（４０）に流れ込んだ水が二手に分かれ、その一方のみが熱交換器（１１）を再度経由して浴槽（３０）へ流れ込み、他方は熱交換器（１１）を再度経由することなく浴槽（３０）へ流れ込むものであってもよい。
【００１５】
実吸熱比取得手段（６７）は、浴槽（３０）への注湯動作を行っているとき、バーナー（１２）からの供給熱量のうち追い焚き流路（４０）側で吸熱される熱量と給湯流路（２０）側で吸熱される熱量との比である実吸熱比を求め、同時使用判別手段（６１）は、注湯単独での使用中に実吸熱比が変化したとき注湯動作と並行して給湯動作が開始されたものと判別する。
【００１６】
注湯単独での使用中に、水栓への給湯が開始されると、給湯流路（２０）で加熱された湯の一部が水栓への出湯に費やされ、追い焚き流路（４０）を通じて熱交換器（１１）で再加熱されるものの流量が減少する。このため、バーナー（１２）からの供給熱量のうち追い焚き流路（４０）側での吸熱量と給湯流路（２０）側での吸熱量との比率が変動する。したがって、実吸熱比が変化したことを捉えることによって、注湯単独での使用中に給湯動作が開始されたことを検知することができる。
【００１７】
なお、吸熱比は、バーナー（１２）からの供給熱量、給湯流路（２０）側の流量、給湯流路（２０）への入水温度、給湯流路（２０）において加熱された後の湯温等によって求めることができるので、同時使用を検知するために専用の流量センサを設ける必要がなく、装置価格の低減を図ることができる。
【００１８】
また吸熱比の変化ではなく、注湯単独使用時における吸熱比の絶対値と実際の吸熱比とを以下のように比較することにより、注湯単独での使用中か注湯と給湯との同時使用中かを判別することもできる。
【００１９】
すなわち、給湯流路（２０）から連絡路（５０）を通じて追い焚き流路（４０）に流れ込む水が二手に分かれる際の分配比を予め求めて分配比記憶手段（６３）に記憶しておく。また、バーナー（１２）からの供給熱量と、給湯流路（２０）側での吸熱量と、給湯流路（２０）を通じて加熱された後であって追い焚き流路（４０）を通じて熱交換器（１１）で再加熱される前の水の温度である再加熱前温度と、追い焚き流路（４０）を通じ熱交換器（１１）で再加熱されて浴槽（３０）に流れ込む水の流量と、から成る４つのパラメータの関係を表したデータを予め求めてデータ記憶手段（６２）に記憶しておく。
【００２０】
入水温度検知手段（２４）は、熱交換器（１１）を経由する前の給湯流路（２０）内の水温を検知し、出湯温度検知手段（２７、２９）は、熱交換器（１１）を経由した後の給湯流路（２０）内の水温を検知し、流量検知手段（２５）は、給湯流路（２０）を通じて熱交換器（１１）を経由する水の流量を検知する。
【００２１】
同時使用判別手段（６１）は、入水温度検知手段（２４）の検知する温度と出湯温度検知手段（２７、２９）の検知する温度と流量検知手段（２５）の検知する流量とから給湯流路（２０）側での実際の吸熱量を求める。また同時使用判別手段（６１）は、バーナー（１２）からの供給熱量と、給湯流路（２０）側での実際の吸熱量と、出湯温度検知手段（２７、２９）の検知する再加熱前温度と、給湯流路（２０）を通じて加熱された給水の全てが連絡路（５０）を通じて追い焚き流路（４０）に流れ込みかつ分配比記憶手段（６３）に記憶されている分配比に従って二手に分かれた際に熱交換器（１１）で再加熱されて浴槽（３０）に流れ込む水の流量との関係が、データ記憶手段（６２）に記憶してあるこれら４つのパラメータの関係と略一致するか否かを基にして注湯単独での使用中か注湯と給湯との同時使用中かを判別する。
【００２２】
データ記憶手段（６２）に記憶してある４つのパラメータの関係は、熱交換器（１１）の形状等が定まれば一義的に定まり、実験等により予め求めておくことができる。またパラメータ相互の関係が一義的に定まるので、たとえば、再加熱されて浴槽（３０）に流れ込むものの流量を注湯単独で動作していると仮定して求め、かつ残り３つのパラメータを実測すれば、これら４つのパラメータの相互関係が予め記憶してあるデータと一致するか否かにより、注湯単独動作であるか否かを判別することができる。
【００２３】
より具体的には、同時使用判別手段（６１）は、入水温度検知手段（２４）の検知する温度と出湯温度検知手段（２７、２９）の検知する温度と流量検知手段（２５）の検知する流量とから給湯流路（２０）側での実際の吸熱量を求める。そしてこの吸熱量と出湯温度検知手段（２７、２９）の検知する再加熱前温度とバーナー（１２）からの供給熱量とに基づいてデータ記憶手段（６２）の記憶しているデータから追い焚き流路（４０）を通じ熱交換器（１１）で再加熱される水の流量である実再加熱流量を求める。
【００２４】
さらに、給湯流路（２０）を通じて加熱された水の全てが連絡路（５０）を通じて追い焚き流路（４０）に流れ込む場合に熱交換器（１１）で再加熱されて浴槽（３０）に流れ込む水の流量を、流量検知手段（２５）の検知する流量と分配比記憶手段（６３）に予め記憶してある分配比とから求め、当該分配比から求めた流量と先に求めた実再加熱流量とを比較することで注湯単独使用中か注湯と給湯との同時使用中かを判別する。
【００２５】
このように、追い焚き流路（４０）側で再加熱されるものの流量を実際の吸熱比を基にして演算で求めるとともに、予め求めて記憶してある分配比と給湯側の総流量とから注湯単独動作中であると仮定した場合における再加熱されるものの流量を求め、これらの流量を比較することによって、注湯単独使用か否かを判別することができる。
【００２６】
なお、４つのパラメータの一致を判断する際に、再加熱されるものの流量を比較するのみならず、たとえば、給湯流路（２０）側での実際の吸熱量が、注湯単独での使用中であると仮定した場合における給湯流路（２０）側の吸熱量と一致するか否かによって、同時使用か否かを判別してもよい。
【００２７】
すなわち、同時使用判別手段（６１）は、入水温度検知手段（２４）の検知する温度と出湯温度検知手段（２７、２９）の検知する再加熱前温度と流量検知手段（２５）の検知する流量とから給湯流路（２０）側での実際の吸熱量を求める。さらに給湯流路（２０）を通じて加熱された水の全てが連絡路（５０）を通じて追い焚き流路（４０）に流れ込む場合に熱交換器（１１）で再加熱されて浴槽（３０）に流れ込む水の流量を、分配比記憶手段（６３）に予め記憶してある分配比と流量検知手段（２５）の検知する流量とから求める。
【００２８】
こうして分配比から求めた流量と出湯温度検知手段（２７、２９）の検知する温度とバーナー（１２）からの供給熱量とに基づいてデータ記憶手段（６２）の記憶しているデータから給湯流路（２０）を通じて加熱された水の全てが連絡路（５０）を通じて追い焚き流路（４０）に流れ込む場合における給湯流路（２０）側の吸熱量を求める。そして当該求めた吸熱量と実際の吸熱量とを比較することで注湯単独使用中か注湯と給湯との同時使用中かを判別する。
【００２９】
また、分配比は次のようにして求める。注湯単独で使用している際におけるバーナー（１２）からの供給熱量と、給湯流路（２０）側での実際の吸熱量と、追い焚き流路（４０）を通じて熱交換器（１１）で再加熱される前における実際の水温とをデータ記憶手段（６２）に記憶してあるデータに適用することで、再加熱されて浴槽（３０）に流れ込む水の流量を求める。この流量と給湯流路（２０）を通じて熱交換器（１１）を経由する水の総流量とから、実際の分配比を求める。これにより、設置後などに適宜、分配比を計測することができる。
【００３０】
また、分配比を求める際に、切替弁（５１）を一旦閉じ、そのとき給湯流路（２０）側に通水があるか否かを基にして、注湯単独使用の状態を形成できるか否かを判別する。これにより分配比を的確に調べることができる。
【００３１】
さらに、同時使用判別手段（６１）が注湯単独使用の状態にあると判別した際に、その時点における実際の分配比を求め、当該実際の分配比の値が所定の許容値を越えたとき、あるいは前回求めた分配比と今回求めた分配比との変動量が許容値を越えたとき、同時使用判別手段（６１）が注湯単独使用か否かを判別する際に用いる分配比の値を最新の値に更新する。
【００３２】
浴槽（３０）からの戻り流路には、通常、ゴミ取り用のフィルタを設けてあるので、ゴミの付着量が増加すると次第に分配比が変動する。またフィルタを掃除すると分配比が一気に変化する。そこで、分配比の変化量が許容値を越えた際に、同時使用か否かの判定のための演算に用いる分配比の値を校正することで、フィルタ等の目詰まりにかかわらず、同時使用か否かを的確に判別することができる。
【００３３】
【発明の実施の形態】
以下、図面に基づき本発明の一実施の形態を説明する。
各図は本発明の一実施の形態を示している。
図１に示すように、本実施の形態にかかる１缶２水路型給湯器１０は、給水を加熱するための給湯流路２０と、浴槽３０内の湯を追い焚きするための追い焚き流路４０の双方が通る熱交換器１１と、当該熱交換器１１を加熱するためのバーナー１２とを備えている。当該バーナー１２には、燃焼ガスの供給路であるガス供給管１３が接続されており、ガス供給管１３の途中には、燃焼ガスの供給量を調整するためのガス量調整弁１４（比例弁）が取り付けられている。
【００３４】
給湯流路２０は、熱交換器１１のフィンプレートから受熱する配管部分である給湯系受熱管２１と、給湯系受熱管２１の入口部に通じ、給水の流れ込み側となる給水管２２と、給湯系受熱管２１の出口部から延びる給湯管２３とから構成されている。給水管２２には、流入する給水の温度（Ｔｉｎ）を検知するための入水サーミスタ２４と、通水量（Ｑ）を検知するための流量センサー２５が設けられている。
【００３５】
また、給湯系受熱管２１のうち、熱交換器１１の外部で折り返すＵベント部には、当該部分における水温（Ｔｚ１）を検知する水管サーミスタ２６が設けてある。給湯系受熱管２１の出口部近傍には、給湯系受熱管２１で加熱された後の水温（Ｔｏｕｔ）を検知する熱交サーミスタ２７が配置されている。
【００３６】
給湯管２３のうち熱交サーミスタ２７よりも下流側の箇所と給水管２２のうち流量センサー２５より上流側の箇所との間は、熱交換器１１を介さずに給水を給湯管２３へ送り込むためのバイパス通路２８によって接続されている。また、当該バイパス通路２８の途中には、熱交換器１１を迂回させる給水の流量を調整するための流量制御弁２８ａが設けられている。
【００３７】
給湯管２３には、バイパス通路２８との接続位置よりも下流側の箇所に、熱交換器１１で加熱された湯とバイパス通路２８を通じて熱交換器１１を迂回した給水とがミキシングされた後の水温（Ｔｍｉｘ）を検知するための出湯サーミスタ２９が配置されている。
【００３８】
追い焚き流路４０は、熱交換器１１のフィンプレートから受熱する配管部分である追い焚き系受熱管４１と、追い焚き系受熱管４１の一端部（追い焚き循環時における入口側）と浴槽３０との間を接続する追い焚き戻り管４２と、追い焚き系受熱管４１の他端部と浴槽３０との間を接続する追い焚き往き管４３とから構成されている。追い焚き戻り管４２の途中には、浴槽３０内の湯を追い焚き系受熱管４１に向けて送る循環ポンプ４４が設けられている。
【００３９】
追い焚き戻り管４２のうち循環ポンプ４４よりも追い焚き系受熱管４１側の箇所と給湯管２３のうち出湯サーミスタ２９よりも下流側の箇所との間は、給湯管２３内の水を追い焚き流路４０に送り込むための連絡路５０によって接続されている。また、連絡路５０の途中には、給湯管２３からの水を追い焚き戻り管４２に流すか否かを切り替えるための切替弁５１が設けられている。
【００４０】
１缶２水路型給湯器１０は、給湯動作、注湯動作、追い焚き動作など各種の動作を制御するための制御部６０を備えている。制御部６０には、ガス量調整弁１４、入水サーミスタ２４、流量センサー２５、水管サーミスタ２６、熱交サーミスタ２７、流量制御弁２８ａ、出湯サーミスタ２９、循環ポンプ４４、切替弁５１等の各種の制御部品やセンサ類が電気的に接続されている。
【００４１】
ここでは、制御部６０のうち注湯と給湯とが同時使用されているか否かを判別するための回路部分のみを示してある。制御部６０は、同時使用判別部６１と、データ記憶部６２と、分配比記憶部６３と、切替弁制御部６４と、分配比履歴記憶部６５と、分配比更新部６６とを備えている。同時使用判別部６１は、注湯動作と給湯動作とが同時に行われているか否かを判別する回路部分であり、実吸熱量取得部６７と演算比較部６８とから構成されている。
【００４２】
分配比記憶部６３は、給湯管２３から連絡路５０を通じて追い焚き戻り管４２に流れ込んだ湯のうち追い焚き系受熱管４１を通り熱交換器１１で再加熱されて浴槽３０に向かうものの流量（再加熱流量…Ｑ２）と、循環ポンプ４４の存在する側の配管を通り熱交換器１１で再加熱されることなく浴槽３０に流れ込むものの流量（Ｑ１）との比である分配比を記憶する回路部分である。
【００４３】
データ記憶部６２は、バーナー１２からの供給熱量（Ｇ）と給湯流路２０側での吸熱量（Ｇ１）と給湯流路２０を通じて加熱された後であって追い焚き系受熱管４１を通じて熱交換器１１で再加熱される前の水の温度である再加熱前温度（Ｔｐｒｅ）と再加熱流量（Ｑ２）とから成る４つのパラメータの関係を表したデータを予め求めて記憶している回路部分である。
【００４４】
同時使用判別部６１の有する実吸熱量取得部６７は、入水サーミスタ２４の検知する入水温度（Ｔｉｎ）と、熱交サーミスタ２７の検知する出湯温度（Ｔｏｕｔ）と、流量センサー２５の検知する流量（Ｑ）とから給湯流路２０側での吸熱量（Ｇ１）を演算で求める回路部分である。なお、ここでは、流量制御弁２８ａは閉じた状態にあるとし、熱交サーミスタ２７と出湯サーミスタ２９はそれらの検知する温度（Ｔｏｕｔ、Ｔｍｉｘ）が同一であるものとする。
【００４５】
演算比較部６８は、出湯サーミスタ２９の検知する温度（Ｔｍｉｘ）と、バーナー１２からの供給熱量（Ｇ）と、実吸熱量取得部６７の求めた給湯流路２０側での吸熱量（Ｇ１）とを基にして、追い焚き系受熱管４１で再加熱されている水の実際の流量（実再加熱流量…Ｑ２ｊ）をデータ記憶部６２の記憶しているデータを参照して求める機能を備えている。
【００４６】
また演算比較部６８は、流量センサー２５の検知した流量（Ｑ）とデータ記憶部６２の記憶している分配比とから、注湯単独使用であると仮定した場合に追い焚き系受熱管４１を流れる水の流量である想定再加熱流量（Ｑ２ｃ）を求める機能を有している。そして演算比較部６８は、先に求めた実再加熱流量（Ｑ２ｊ）と想定再加熱流量（Ｑ２ｃ）とを比較することによって、注湯単独での使用中であるか注湯と給湯との同時使用中であるかを判定する機能を備えている。
【００４７】
切替弁制御部６４は、切替弁５１の開閉を制御する回路部分であり、同時使用判別部６１によって注湯単独での使用中に給湯動作が開始されたことが検知されたとき、切替弁５１を閉じるよう機能する。分配比履歴記憶部６５は、同時使用判別部６１が注湯単独使用中であると判定した際における実際の分配比を求めてその履歴を記憶する回路部分である。
【００４８】
分配比更新部６６は、分配比履歴記憶部６５の記憶している過去の分配比と最新の分配比との差が一定以上になったとき、あるいは最新の分配比と前回計測した分配比との差が所定値以上あるとき、分配比記憶部６３の記憶している分配比を最新の分配比に更新する機能を果たす回路部分である。
【００４９】
なお、制御部６０は、実際には、ＣＰＵ（中央処理装置）とＲＯＭ（リード・オンリ・メモリ）とＲＡＭ（ランダム・アクセス・メモリ）とを主要部とする回路によって構成されている。
【００５０】
図２は、データ記憶部６２に記憶される４つのパラメータの相互関係を求めるためのグラフを表している。縦軸は、熱量としての号数を、横軸は、給湯設定温度、すなわち、熱交サーミスタ２７の検知する出湯温度（Ｔｏｕｔ）を示している。この図は、バーナー１２からの供給熱量（Ｇ）が１８号の場合を示したものであり、残る３つのパラメータ、すなわち給湯流路２０側での吸熱量（Ｇ１）と、再加熱流量（Ｑ２）と再加熱される前の温度（Ｔｐｒｅ）と、さらに給湯流路（２０）側で湯温（設定温度…Ｔｏｕｔ）との相互関係を示している。
【００５１】
図中、右下がりに傾斜した６つの直線７１ａ〜７１ｆは、それぞれ再加熱流量（Ｑ２）と再加熱の前の水温である再加熱前温度（Ｔｐｒｅ）の２つの要因の組み合わせに対応するものである。
【００５２】
直線７１ａは、再加熱流量（Ｑ２）が毎分４リットルで、再加熱前の水温（再加熱前温度…Ｔｐｒｅ）が４０℃の場合に対応する。また直線７１ｂは、再加熱流量が５リットル／分で再加熱前温度が４０℃の場合に、直線７１ｃは、再加熱前流量が６リットル／分で再加熱前温度が４０℃の場合にそれぞれ対応している。
【００５３】
直線７１ｄ〜直線７１ｆは、再加熱前温度がともに１８℃であり、直線７１ｄは再加熱前流量が４リットル／分の場合に、直線７１ｅは再加熱前流量が５リットル／分の場合に、直線７１ｆは再加熱前流量が６リットル／分の場合にそれぞれ対応するものである。
【００５４】
図２に示すデータは、実験等によって経験的に求めたものである。また、図２はあくまでも例示であり、実際には、再加熱流量（Ｑ２）と再加熱前温度（Ｔｐｒｅ）との種々の組み合わせに対応した多数の直線が描かれる。また図２はバーナー１２からの供給号数（Ｇ）が１８号である場合を示しており、図２と同様のグラフは、供給号数（Ｇ）の値に応じて各種用意される。
【００５５】
注湯動作を行う際には、給湯流路２０で加熱された湯が追い焚き系受熱管４１に流れ込むので、図２のグラフにおける給湯設定温度（Ｔｏｕｔ）と再加熱前温度（Ｔｐｒｅ）とは同一の温度になる。したがって、給湯設定温度が４０℃の場合には、図２において再加熱前温度が４０℃の直線のうちのいずれかを参照することになる。なお、この場合、バーナー１２からの供給熱量（Ｇ）と、給湯流路２０側での吸熱量（Ｇ１）と、再加熱前の水温（Ｔｐｒｅ）と、再加熱流量（Ｑ２）とから成る４つのパラメータの相互関係は、熱交換器１１の形状等が定まれば一義的に定まる。
【００５６】
たとえば、バーナー１２からの供給熱量が１８号で、再加熱前温度（Ｔｐｒｅ、Ｔｏｕｔ）が４０℃で、再加熱流量（Ｑ２）が６リットル／分の場合には、給湯流路２０側での吸熱量（号数）は、図２の交点７３から一義的に求まることになる。逆に、バーナー１２からの供給熱量（Ｇ）と、給湯流路２０側での吸熱量（号数…Ｇ１）と、再加熱前温度（Ｔｐｒｅ、Ｔｏｕｔ）とが求まれば、図２から再加熱流量（Ｑ２）を一義的に求めることができる。
【００５７】
次に作用を説明する。
図３は、制御部６０の行う動作の流れを示したものである。図示しない風呂リモコン等から注湯指示を受けると、制御部６０は、バーナー１２を燃焼させるとともに切替弁５１を開き、注湯動作を開始させる（ステップＳ１０１）。制御部６０は、熱交サーミスタ２７の検知する出湯温度（Ｔｏｕｔ）が安定するのを待ってから（ステップＳ１０２；Ｙ）、注湯と給湯とが同時使用中か否かの判別を開始する。
【００５８】
すなわち、入水サーミスタ２４の検知する入水温度（Ｔｉｎ）と、熱交サーミスタ２７の検知する出湯温度（Ｔｏｕｔ）と、流量センサー２５の検知する流量（Ｑ）とから、次式に従って給湯流路２０側での吸熱量（Ｇ１）を求める（ステップＳ１０３）。
Ｇ１＝（Ｔｏｕｔ−Ｔｉｎ）×Ｑ    （１）
次に、ガス量調整弁１４に与えている比例弁電流の値からバーナー１２による供給熱量（Ｇ）を号数として求める（ステップＳ１０４）。なお、比例弁電流の値と供給熱量（Ｇ）との対応関係は予めＲＯＭに記憶されている。
【００５９】
次に、このようにして求めた供給熱量（Ｇ）と給湯流路２０側での吸熱量（Ｇ１）と熱交サーミスタ２７の検知する出湯温度（Ｔｏｕｔ…言い換えると再加熱前温度）とを適用してデータ記憶部６２の記憶しているデータから、追い焚き系受熱管４１を通じて再加熱されている水の流量（実再加熱流量…Ｑ２ｊ）を求める（ステップＳ１０５）。たとえば、供給号数（Ｇ）が１８号で、給湯流路２０側での吸熱量（Ｇ１）が１５．８号で、再加熱前温度（Ｔｏｕｔ、Ｔｐｒｅ）が４０℃の場合には、図２に示したグラフから実再加熱流量（Ｑ２ｊ）として６リットル／分を得る。
【００６０】
さらに、分配比記憶部６３に記憶してある分配比と、流量センサー２５の検知する総流量（Ｑ）とから、注湯単独使用中であると仮定した場合における再加熱流量（想定再加熱流量…Ｑ２ｃ）を求める（ステップＳ１０６）。そして、実再加熱流量（Ｑ２ｊ）と想定再加熱流量（Ｑ２ｃ）とを比較し、これらの差が予め定めた許容誤差範囲内にあるか否かにより、注湯単独での使用中か注湯と給湯との同時使用中であるかを判別する（ステップＳ１０７）。
【００６１】
実再加熱流量（Ｑ２ｊ）と想定再加熱流量（Ｑ２ｃ）との差が許容誤差範囲を越える場合には、注湯と給湯とが同時使用されているものと判別し（ステップＳ１０７；Ｎ）、切替弁制御部６４によって切替弁５１を閉じ、注湯動作を一時的に停止する（ステップＳ１０８）。
【００６２】
実再加熱流量（Ｑ２ｊ）と想定再加熱流量（Ｑ２ｃ）との差が許容誤差範囲内にあるときは注湯単独での使用中であると判別し（ステップＳ１０７；Ｙ）、注湯動作が継続している間（ステップＳ１０９；Ｎ）、ステップＳ１０３に戻り、同時使用中か否かの判別動作を繰り返し行う。
【００６３】
なお、注湯動作の終了は、注湯した湯の量によって判別される。また、注湯と給湯とが同時使用中であると判別して、注湯動作を一時停止したときは、給湯動作が終了した後、すなわち、流量センサー２５によって通水が検知されなくなってから、注湯動作を再開するようになっている。
【００６４】
上述の動作では、実再加熱流量（Ｑ２ｊ）と想定再加熱流量（Ｑ２ｃ）との差が許容誤差範囲内にあるか否かによって、注湯と給湯とが同時使用中であるか否かを判別するようにしたが、注湯単独使用中であると仮定した場合における給湯流路２０での吸熱量を、データ記憶部６２を参照して求め、これと給湯流路２０での実際の吸熱量とを比較することで、同時使用中か否かを判別するようにしてもよい。
【００６５】
すなわち、入水温度（Ｔｉｎ）と出湯温度（Ｔｏｕｔ）と流量センサー２５の検知する流量（Ｑ）とから給湯流路２０側での実際の吸熱量（Ｇ１）を求める。そして給湯流路２０を通じて加熱された水の全てが連絡路５０を通じて追い焚き流路４０に流れ込む場合に熱交換器１１で再加熱されて浴槽３０に流れ込む水の流量（想定再加熱流量…Ｑ２ｃ）を、分配比記憶部６３に予め記憶してある分配比と流量センサー２５の検知する流量（Ｑ）とから求める。
【００６６】
こうして求めた想定再加熱流量と出湯温度（Ｔｏｕｔ…再加熱前温度）とバーナー１２からの供給熱量（Ｇ）とを適用して、データ記憶部６２の記憶しているデータから、注湯単独使用中であると仮定した場合における給湯流路２０側での吸熱量（想定吸熱量）を求める。そしてデータ記憶部６２から求めた給湯流路２０側ので想定吸熱量と実際の給湯流路２０での吸熱量とを比較することで注湯単独使用中か否かを判別するようにしてもよい。
【００６７】
このほか、給湯流路２０側での実際の吸熱量（Ｇ１）と、注湯単独動作中であると仮定した場合における再加熱流量（想定再加熱流量…Ｑ２ｃ）と実測された再加熱前温度（Ｔｏｕｔ）とをデータ記憶部６２に適用して、注湯単独使用中であると仮定した場合における供給熱量を求め、これと実際の供給熱量とを比較することで同時使用中か否かを判別するようにしてもよい。
【００６８】
次に、分配比の計測およびその更新について説明する。
分配比は、１缶２水路型給湯器１０を設置した際の試運転時に計測する。また浴槽３０内の水を追い焚き流路４０へ取り込む入口部に取り付けてあるフィルターが目詰まりした際や、目詰まりの原因になっているゴミを掃除した際に変動するので、注湯と給湯とが同時使用されているか否かを的確に判別できるように、適宜のタイミングで分配比を計測し直し更新するようになっている。
【００６９】
分配比の計測は、以下のようにして行う。まず、注湯単独での動作が保証される状態にあるか否かを判定する。たとえば、切替弁５１を閉じた際に、通水があるか否かによって給湯動作が行われているか否かを確認することで、注湯単独使用可能な状況にあるか否かを確認する。
【００７０】
注湯単独使用が可能であることを確認した後、注湯動作を開始し、その際の、入水温度（Ｔｉｎ）、出湯温度（Ｔｏｕｔ）、流量センサー２５の検知する流量（Ｑ）とから、給湯流路２０側での実際の吸熱量を求める。さらに、バーナー１２からの供給熱量（Ｇ）を求め、これと給湯流路２０側での実際の吸熱量（Ｇ１）と熱交サーミスタ２７の検知する再加熱前温度（Ｔｏｕｔ）とを適用して、データ記憶部６２の記憶しているデータから、追い焚き系受熱管４１を通じて再加熱されている湯の流量である実再加熱流量（Ｑ２ｊ）を求める。そして、実再加熱流量（Ｑ２ｊ）と流量センサー２５の検知する総流量（Ｑ）とから、分配比を求める。
【００７１】
フィルターの目詰まりやその除去による分配比の変動は以下のようにして求める。同時使用判別部６１は、注湯単独使用状態であると判別した際に、上述の方法によってその時点における実際の分配比を求め、その履歴を分配比履歴記憶部６５に順次記憶する。
【００７２】
フィルターが目詰まりしていない初期状態から、ゴミが付着して圧損が除々に増加すると、実測される分配比が次第に変化する。分配比更新部６６は、目詰まりを起こしていない初期状態における分配比と最新の分配比との差が基準値以上になったか否かを判断し、基準値を越える差が発生したとき、分配比記憶部６３の記憶内容を最新の分配比に書き換えて更新する。
【００７３】
一方、フィルターに付着しているゴミが掃除され除去されると、掃除前の分配比に比べて、掃除後の分配比は一時に大きく変化する。そこで、分配比履歴記憶部６５に記憶してある前回の分配比と最新の分配比との差が一定以上あるときは、フィルターの目詰まりが掃除されたものと判別し、分配比記憶部６３の記憶内容を最新の分配比で書き換える。
【００７４】
以上説明した実施の形態では、データ記憶部６２や分配比記憶部６３に記憶しているデータを基にして、注湯と給湯とが同時使用されているか否かを判別したが、このほか、給湯流路２０側と追い焚き流路４０側との吸熱比が変化するか否かによって、注湯動作中に、給湯動作が開始されたことを判別するようにしてもよい。
【００７５】
すなわち、浴槽３０への注湯動作を行っているとき、バーナー１２からの供給熱量（Ｇ）のうち追い焚き流路４０側で吸熱される熱量（Ｇ２）と給湯流路２０側で吸熱される熱量（Ｇ１）との比である実吸熱比を求め、これが注湯単独使用中に変化したことをもって注湯動作と並行して給湯動作が開始されたものと判別する。
【００７６】
注湯単独での使用中に、水栓への給湯が開始されると、給湯流路２０側で加熱された湯の一部が水栓への出湯に費やされるので、バーナー１２からの供給熱量のうち追い焚き流路４０側での吸熱量と給湯流路２０側での吸熱量との比率が変動する。したがって、実吸熱比が変化したことを捉えることによって、注湯単独での使用中に給湯動作が開始されたことを検知することができる。なお、この場合は吸熱比の変動を基に判別するので、注湯動作と給湯動作とが同時に開始された場合には、同時使用か否かを区別することはできない。
【００７７】
【発明の効果】
本発明にかかる１缶２水路型給湯器および注湯給湯同時使用判別方法によれば、給湯流路側と追い焚き流路側との吸熱比等を基にして、注湯と給湯とが同時使用されているか否かを判別するので、同時使用を判別するために専用の流量センサを設ける必要がなく、装置構造の簡略化と価格の低減を図ることができる。
【図面の簡単な説明】
【図１】本発明の一実施の形態に係る１缶２水路型給湯器の構成の概要を示す説明図である。
【図２】データ記憶部に記憶されている４つのパラメータの相互関係の一部をグラフとして表した説明図である。
【図３】本発明の一実施の形態に係る１缶２水路型給湯器が注湯と給湯とが同時使用中であるか否かを判別する際の動作の流れを示す流れ図である。
【符号の説明】
１０…１缶２水路型給湯器
１１…熱交換器
１２…バーナー
１３…ガス供給管
１４…ガス量調整弁
２０…給湯流路
２１…給湯系受熱管
２２…給水管
２３…給湯管
２４…入水サーミスタ
２５…流量センサー
２７…熱交サーミスタ
２９…出湯サーミスタ
３０…浴槽
４０…追い焚き流路
４１…追い焚き系受熱管
４２…追い焚き戻り管
４３…追い焚き往き管
５０…連絡路
５１…切替弁
６０…制御部
６１…同時使用判別部
６２…データ記憶部
６３…分配比記憶部
６４…切替弁制御部
６５…分配比履歴記憶部
６６…分配比更新部
６７…実吸熱量取得部
６８…演算比較部
【図１】
0003848773.tif 000002
【図２】
0003848773.tif 000003
【図３】
0003848773.tif 000004